(57)【特許請求の範囲】
【請求項１】
無線通信システムのサービングセルにおいてサービス提供用周波数で無線デバイスにサービスを提供するように構成された基地局により実施される方法であって、
前記無線デバイスの地理的位置を決定するために使用される１つ以上の測位を前記無線デバイスが実行するための１つ以上の非サービス提供用周波数を示す情報を取得する取得ステップと、
前記情報によって示されている少なくとも１つの非サービス提供用周波数について、隣接セルが前記非サービス提供用周波数で測位基準信号を送信する期間が生じるように、前記無線デバイスが対応する測位を実行することになる測定ギャップを設定する設定ステップと、
前記測位基準信号のための前記測定ギャップを設定できないときに、前記情報によって示された他の少なくとも１つの非サービス提供用周波数について、隣接セルが前記非サービス提供用周波数で前記測位基準信号とは異なる信号を送信する期間が生じるように、前記無線デバイスが対応する測位を実行することになる測定ギャップを設定するステップと、
を有することを特徴とする方法。
【請求項２】
前記取得ステップは、前記無線デバイスが前記非サービス提供用周波数で前記１つ以上の測位を実行することになる１つ以上の測定ギャップを設定するよう前記基地局に要求する前記無線デバイスからのリクエストにおいて前記情報の少なくともいくつかを受信するステップを有することを特徴とする請求項１に記載の方法。
【請求項３】
前記取得ステップは、前記無線通信システムの測位ノードからの制御シグナリングを通じて前記情報の少なくともいくつかを受信するステップを有することを特徴とする請求項１または２に記載の方法。
【請求項４】
前記制御シグナリングは、ロングタームエボリューション（ＬＴＥ）の測位プロトコル（ＬＰＰ）のアネックスまたはＬＰＰエクステンションを使用して前記測位ノードから受信されることを特徴とする請求項３に記載の方法。
【請求項５】
前記取得ステップは、前記無線通信システムの測位ノードと前記無線デバイスとの間で送信される上位レイヤーの通信を調査することで、前記情報の少なくともいくつかを取得するステップを有することを特徴とする請求項１ないし４のいずれか１項に記載の方法。
【請求項６】
前記上位レイヤーの通信は、前記無線デバイスと前記測位ノードとの間でのＬＰＰを使用する送信であることを特徴とする請求項５に記載の方法。
【請求項７】
無線通信システムの無線デバイスにおいて実施される方法であって、サービングセルにおいてサービス提供用周波数で基地局によりサービスを提供され、
前記方法は、
前記無線デバイスの地理的位置を決定するために使用される１つ以上の測位を前記無線デバイスが実行するための１つ以上の非サービス提供用周波数を示す情報を取得する取得ステップと、
前記情報と、前記無線デバイスが前記１つ以上の測位を実行するための１つ以上の測定ギャップを設定するよう前記基地局に対して要求するリクエストとを前記基地局に送信する送信ステップと
を有し、
前記情報は、少なくとも１つの非サービス提供用周波数と他の少なくとも１つの非サービス提供用周波数とを示しており、前記少なくとも１つの非サービス提供用周波数は、隣接セルが前記非サービス提供用周波数で測位基準信号を送信する期間が生じるように、前記無線デバイスが対応する測位を実行することになる測定ギャップを設定するために使用され、前記測位基準信号のための前記測定ギャップを設定できないときに、前記他の少なくとも１つの非サービス提供用周波数は、隣接セルが前記非サービス提供用周波数で前記測位基準信号とは異なる信号を送信する期間が生じるように、前記無線デバイスが対応する測位を実行することになる測定ギャップを設定するために使用されることを特徴とする方法。
【請求項８】
前記送信ステップは、前記情報を前記リクエスト内に搭載するステップを有することを特徴とする請求項７に記載の方法。
【請求項９】
前記サービングセルは、無線アクセス技術（ＲＡＴ）を実装しており、
前記取得ステップは、上位レイヤープロトコルエクステンションとユーザプレーン通信との少なくとも１つを通じて、１つ以上の非サービングＲＡＴを実装している１つ以上の隣接セルにおいて前記測位を実行するために前記情報を使用するよう前記無線デバイスに要求するリクエストとともに当該情報を受信するステップを有することを特徴とする請求項７または８に記載の方法。
【請求項１０】
前記１つ以上の測定ギャップがいつ生じるように設定されているかを識別するための情報を含むレスポンスを前記基地局から受信するステップと、
前記１つ以上の測定ギャップにおいて前記１つ以上の非サービス提供用周波数で前記１つ以上の測位を実行し、対応する非サービス提供用周波数を使用して対応する測定ギャップで隣接セルから送信される測位基準信号を測定することによって少なくとも１つの測位を実行するステップと
を有することを特徴とする請求項７ないし９のいずれか１項に記載の方法。
【請求項１１】
無線通信システムにおいてネットワークノードによって実施される方法であって、当該無線通信システムは、当該無線通信システムのサービングセルにおいてサービス提供用周波数で無線デバイスにサービスを提供するように構成された基地局を有し、
前記方法は、
前記無線デバイスの地理的位置を決定するために使用される１つ以上の測位を前記無線デバイスが実行するための１つ以上の非サービス提供用周波数を示す情報を取得する取得ステップと、
前記取得された情報を前記基地局に送信するステップと
を有し、
前記情報は、少なくとも１つの非サービス提供用周波数と他の少なくとも１つの非サービス提供用周波数とを示しており、前記少なくとも１つの非サービス提供用周波数は、隣接セルが前記非サービス提供用周波数で測位基準信号を送信する期間が生じるように、前記無線デバイスが対応する測位を実行することになる測定ギャップを設定するために使用され、前記測位基準信号のための前記測定ギャップを設定できないときに、前記他の少なくとも１つの非サービス提供用周波数は、隣接セルが前記非サービス提供用周波数で前記測位基準信号とは異なる信号を送信する期間が生じるように、前記無線デバイスが対応する測位を実行することになる測定ギャップを設定するために使用されることを特徴とする方法。
【請求項１２】
前記情報は、さらに、１つ以上の隣接セルが前記１つ以上の非サービス提供用周波数で関連する測位基準信号を送信するための期間を示していることを特徴とする請求項１ないし１１のいずれか１項に記載の方法。
【請求項１３】
前記情報は、前記サービングセルが測位基準信号を送信するための期間からのオフセットとして、または、基準セルが測位基準信号を送信するための期間からのオフセットとして、いずれかの所与の隣接セルが測位基準信号を送信するための期間を示し、
前記基準セルによって送信される測位基準信号について実行される測位は、他のセルによって送信される測位基準信号について実行される測位についての基準として機能することを特徴とする請求項１２に記載の方法。
【請求項１４】
前記情報は、前記オフセットをサブフレームオフセット、システムフレーム番号（ＳＦＮ）または測位基準信号（ＰＲＳ）サブフレームオフセットのいずれかとして示すことを特徴とする請求項１３に記載の方法。
【請求項１５】
前記情報は、前記無線デバイスが前記１つ以上の測位を実行する対象となる少なくとも１つの隣接セルを示すことを特徴とする請求項１ないし１４のいずれか１項に記載の方法。
【請求項１６】
前記情報は、２つ以上の異なる可能な非サービス提供用周波数から選択された１つ以上の非サービス提供用周波数を示すことを特徴とする請求項１ないし１５のいずれか１項に記載の方法。
【請求項１７】
前記１つ以上の測位には、周波数間測定、ＲＡＴ間測定、または帯域間測定が含まれることを特徴とする請求項１ないし１６のいずれか１項に記載の方法。
【請求項１８】
前記無線デバイスは、前記１つ以上の非サービス提供用周波数で前記１つ以上の測定のうちの対応する測定を実行するために１つ以上の測定ギャップを必要とすることを特徴とする請求項１ないし１７のいずれか１項に記載の方法。
【請求項１９】
前記１つ以上の測位には、１つ以上のタイミング測定が含まれることを特徴とする請求項１ないし１８のいずれか１項に記載の方法。
【請求項２０】
前記１つ以上のタイミング測定には、
到来観測時間差（ＯＴＤＯＡ）についての１つ以上の基準信号時間差（ＲＳＴＤ）測定と、
１つ以上の受信送信間（Ｒｘ−Ｔｘ）時間差測定と、
１つ以上のタイミングアドバンス（ＴＡ）測定と
が含まれることを特徴とする請求項１９に記載の方法。
【請求項２１】
無線通信システムのサービングセルにおいてサービス提供用周波数で無線デバイスにサービスを提供するように構成された基地局であって、
請求項１ないし６のいずれか１項に記載された方法を実行するように構成された測定ギャップ設定回路を有することを特徴とする基地局。
【請求項２２】
無線通信システムのサービングセルにおいてサービス提供用周波数で基地局によりサービスを提供される無線デバイスであって、
無線インタフェースと、
請求項７ないし１０のいずれか１項に記載された方法を実行するように集約的に構成された１つ以上の処理回路と
を有することを特徴とする無線デバイス。
【請求項２３】
無線通信システムにおけるネットワークノードであって、
通信インタフェースと、
請求項１１に記載された方法を実行するように集約的に構成された１つ以上の処理回路と
を有することを特徴とするネットワークノード。
【発明の詳細な説明】
【技術分野】
【０００１】
本発明は、一般に、無線通信システムに関し、特に、１つ以上の非サービングセル周波数で無線デバイスが位置測定を行うシステムに関する。
【背景技術】
【０００２】
本願は、２０１１年１月１９日出願の「測位を支援するエンハンスド測定ギャップ設定」と称する米国仮特許出願第６１／４３４，２４８号の、米国特許法第１１９条（ｅ）に基づく優先権を主張し、その内容全体を参照によって本明細書に組み込んだものとする。
【０００３】
無線通信システムにおけるユーザ装置（ＵＥ）の地理的位置を特定する能力により、たとえばナビゲーション支援、ソーシャルネットワーキング、位置認識型広告、緊急通話などの多種多様な営利サービスおよび非営利サービスが可能になっている、および／またはそれらのサービスの質が向上している。サービスが異なると、測位精度要件も異なりうる。さらに、たとえば連邦通信委員会がエンハンスド９１１サービスの規制要件を課す米国などの国においては、基本的な救急サービスに対する測位精度の規制要件が存在している。
【０００４】
多くの環境において、ＵＥの位置は、ＧＰＳ（全地球測位システム）に基づく測位方法を使用して、正確に推定することができる。しかし、ＧＰＳは、屋内環境およびビルの谷間においては、うまく機能しない場合が多いことが知られている。これらの状況および他の状況においては、ＵＥがＧＰＳを用いてその位置を測定するのを、無線通信システム自体が支援することができる。この手法は、一般にアシステッドＧＰＳ測位、または簡潔にＡ−ＧＰＳと呼ばれ、ＵＥ受信機の感度およびＧＰＳの起動性能を改善するのに役立っている。この支援が可能であるにもかかわらず、ＧＰＳおよびＡ−ＧＰＳは、状況によっては依然として不十分であることが分かっている。それどころか、ＵＥによっては、ＧＰＳまたはＡ−ＧＰＳを使用することさえできないことがある。
【０００５】
それ故、到来観測時間差（ＯＴＤＯＡ）と呼ばれる補完的地上測位方法が、第３世代パートナーシッププロジェクト（３ＧＰＰ）によって標準化されている。ＯＴＤＯＡに加えて、ＬＴＥ（Ｌｏｎｇ  Ｔｅｒｍ  Ｅｖｏｌｕｔｉｏｎ）標準は、エンハンスドセルＩＤ（Ｅ−ＣＩＤ）と補助全地球航法衛星システム（Ａ−ＧＮＳＳ）とを支援する方法、手順、およびシグナリングも規定している。また、ＬＴＥに関しては、アップリンク到達時間差（ＵＴＤＯＡ）も標準化されている。
【０００６】
＜ＬＴＥにおける測位＞
ＬＴＥ測位アーキテクチャにおける３つの主要なネットワーク要素は、位置サービス（ＬＣＳ）クライアント、ＬＣＳターゲットデバイス（すなわち、ＵＥ）、およびＬＣＳサーバである。ＬＣＳサーバは、ＬＣＳターゲットデバイスの位置を推定する。具体的には、ＬＣＳサーバは、測定値および他の位置情報を収集することにより、ＬＣＳターゲットデバイスの測位を管理し、必要なときにＬＣＳターゲットデバイスの測定をアシスト（支援）し、ＬＣＳターゲットデバイスの位置を推定する物理エンティティまたは論理エンティティである。ＬＣＳクライアントは、ＬＣＳターゲットデバイス自体の中に存在していてもいなくてもよい。中に存在しているかいないかに関係なく、ＬＣＳクライアントは、ＬＣＳターゲットデバイスの位置情報を取得するために、ＬＣＳサーバと協力して動作するソフトウェアエンティティおよび／またはハードウェアエンティティである。具体的には、ＬＣＳクライアントは、位置情報を取得するために、ＬＣＳサーバに要求を送信する。ＬＣＳサーバは、受信した要求を処理および処置してから、測位結果および必要に応じて速度推定値をＬＣＳクライアントに送信する。測位要求は、ＬＣＳターゲットデバイスまたはネットワークから発行されてもよい。
【０００７】
位置計算は、たとえば、ＵＥ、またはＬＴＥのＥ−ＳＭＬＣ（Ｅｖｏｌｖｅｄ  Ｓｅｒｖｉｎｇ  Ｍｏｂｉｌｅ  Ｌｏｃａｔｉｏｎ  Ｃｅｎｔｅｒ）もしくはＳＵＰＬ（Ｓｅｃｕｒｅ  Ｕｓｅｒ  Ｐｌａｎ  Ｌｏｃａｔｉｏｎ）ＳＬＰ（Ｌｏｃａｔｉｏｎ  Ｐｌａｔｆｏｒｍ）などの測位サーバなどによって行われてもよい。前者の手法は、ＵＥベース測位モードに相当するのに対して、後者の手法は、ＵＥアシスト測位モードに相当する。
【０００８】
ＬＴＥには、無線ネットワーク経由で作用する２つの測位プロトコルが存在し、それらは、ＬＴＥ測位プロトコル（ＬＰＰ）と、ＬＰＰａ（ＬＰＰ  アネックス）とである。ＬＰＰは、ＬＣＳサーバとＬＣＳターゲットデバイスとの間のポイント・ツー・ポイントプロトコルであり、ＬＣＳターゲットデバイスを測位するために使用される。ＬＰＰは、ユーザプレーンと制御プレーンの両方で使用されてもよく、レイテンシ（遅延）を減少させるために、複数のＬＰＰ手順を直列および／または並列に実行することができる。ＬＰＰａは、ｅＮｏｄｅＢとＬＣＳサーバとの間のプロトコルであり、制御プレーン測位手順のためだけに規定されている。しかし、ｅＮｏｄｅＢに情報およびｅＮｏｄｅＢの測定値を問い合わせることにより、やはりユーザプレーン測位を支援することができる。ＳＵＰＬプロトコルは、ユーザプレーンにおけるＬＰＰの伝送に用いられる。ＬＰＰは、ＬＰＰメッセージ内でＬＰＰエクステンション（拡張）メッセージを運ぶ実行手段も有する。たとえば、現在のオープンモバイルアライアンス（ＯＭＡ）のＬＰＰ拡張（ＬＰＰｅ）は、たとえば、ＬＰＰで提供できない補助データであるオペレータ固有補助データを提供可能にするように、または他の位置報告フォーマットもしくは新しい測位方法をサポートするように規定されている。
【０００９】
図１は、ＬＴＥシステム１０のようなハイレベルのアーキテクチャを示す。図１においては、システム１０は、ＵＥ１２、無線アクセスネットワーク（ＲＡＮ）１４、およびコアネットワーク１６を有する。ＵＥ１２は、ＬＣＳターゲットを備えている。コアネットワーク１６は、Ｅ−ＳＭＬＣ１８および／またはＳＬＰ２０を有し、そのどちらかは、ＬＣＳサーバを備えていてもよい。Ｅ−ＳＭＬＣ１４に終端する制御プレーン測位プロトコルには、ＬＰＰ、ＬＰＰａ、およびＬＣＳ−ＡＰを含む。ＳＬＰ１６に終端するユーザプレーン測位プロトコルには、ＳＵＰＬ／ＬＰＰおよびＳＵＰＬを含む。注意書きに示されているけれども、ＳＬＰ２０は、ＳＵＰＬ測位センタ（ＳＰＣ）およびＳＵＰＬロケーションセンタ（ＳＬＣ）といった２つのコンポーネントを備えていてもよい。それらのコンポーネントは、異なるノードに存在していてもよい。一実施例においては、ＳＰＣは、Ｅ−ＳＭＬＣとの独自インタフェース、およびＳＬＣとのＬｌｐインタフェースを有する。ＳＬＰのＳＬＣ部は、Ｐ−ＧＷ（ＰＤＮゲートウェイ）２２および外部ＬＣＳクライアント２４と通信する。
【００１０】
また、特定の測位方法の性能をさらに向上させるために、追加の測位アーキテクチャ要素も配備されてもよい。たとえば、無線ビーコン２６を配備すると、たとえば近接ロケーション技術などを用いて、より正確な測位が可能になるので、無線ビーコン２６の配備は、屋内および屋外における測位性能を大幅に向上しうる、費用効率の高い解決手段である。
【００１１】
＜測位方法＞
位置ベースサービス（ＬＢＳ）の要求を満足させるために、ＬＴＥネットワークは、様々な環境における様々な性能を特徴とする一連の補完方法を展開する。どこで測定が行われるか、およびどこで位置が最終的に計算されるかに応じて、測位方法は、ＵＥベース、ＵＥアシスト、またはネットワークベースのいずれであってもよい。これらの手法のそれぞれは、それぞれの利点および欠点を有する。ＬＴＥ標準においては、制御プレーンとユーザプレーンの両方に関して、（１）セルＩＤ（ＣＩＤ）、（２）ネットワークベースの到達角度（ＡｏＡ）を含むＵＥアシステッドネットワークベースＥ−ＣＩＤ、（３）（Ａ−ＧＰＳを含む）ＵＥベースおよびＵＥアシステッドＡ−ＧＮＳＳ、および（４）ＵＥアシステッドＯＴＤＯＡ、の方法を利用できる。
【００１２】
ハイブリッド測位、フィンガープリンティング測位、および適応Ｅ−ＣＩＤ（ＡＥＣＩＤ）は、追加の標準化を必要としないので、ＬＴＥで使用可能である。さらに、たとえばＵＥベースＧＮＳＳ（たとえばＧＰＳ）またはＵＥベースＯＴＤＯＡなどの、上記の方法のＵＥベースのバージョンもあってもよい。また、近接ベースロケーションなどの代替の測位方法もあってもよい。
【００１３】
また、異なる名称を有していることがある類似の方法も、たとえばＷＣＤＭＡ（登録商標）またはＧＳＭ（登録商標）などの他のＲＡＴに存在する。
【００１４】
＜Ｅ−ＣＩＤ測位＞
Ｅ−ＣＩＤは、ＣＩＤに関係する複雑さの少なさおよび高速測位の利点を有効に生かしつつ、より多くのタイプの測定を用いて測位をさらにエンハンスドしている。具体的には、ＣＩＤは、セルＩＤが関係する地理的エリアについてのネットワークの知識を有効に活用する。Ｅ−ＣＩＤでは、さらに、ＡｏＡ測定値に加えて、サービングセルに対応する地理的内容と、サービングセルのタイミングアドバンス（ＴＡ）と、セル（ＬＴＥにおいては、サービングセルを含めて最大３２セル）のＣＩＤおよび対応する信号測定値を活用する。ＬＴＥのＥ−ＣＩＤに関しては、次のＵＥ測定値を利用することができ、それらは、Ｅ−ＵＴＲＡキャリア受信信号強度（ＲＳＳＩ）、基準信号受信電力（ＲＳＲＰ）、基準信号受信品質（ＲＳＲＱ）、およびＵＥのＲｘ−Ｔｘ時間差である。Ｅ−ＣＩＤに使用可能なＥ−ＵＴＲＡＮ測定値は、ｅＮｏｄｅＢのＲｘ−Ｔｘ時間差（ＴＡタイプ２とも呼ばれる）、（ｅＮｏｄｅＢのＲｘ−Ｔｘ時間差）＋（ＵＥのＲｘ−Ｔｘ時間差）であるＴＡタイプ１、およびＵＬのＡｏＡであり、ＵＥのＲｘ−Ｔｘ測定値は、通常、サービングセルで用いられるのに対して、たとえばＡｏＡに加えてＲＳＲＰおよびＲＳＲＱは、どのセルでも利用でき、サービングセルの周波数とは異なる周波数で行われてもよい。
【００１５】
ＵＥのＥ−ＣＩＤ測定値は、ＵＥからＬＰＰによって測位サーバ（たとえば、Ｅ−ＳＭＬＣまたはＳＬＰ）に報告され、Ｅ−ＵＴＲＡＮのＥ−ＣＩＤ測定値は、ｅＮｏｄｅＢからＬＰＰａによって測位ノードに報告される。ＵＥは、ネットワークからたとえばＬＰＰｅなどによって、補助データを受信してもよい（Ｅ−ＣＩＤに対するＬＰＰのサポートは、現在のところ標準に規定されていないので、ＬＰＰ拡張プロトコルであるＬＰＰｅによって送信されてもよい）。
【００１６】
＜ＯＴＤＯＡ測位＞
ＯＴＤＯＡ測位方法は、ＵＥにおいて複数のｅＮｏｄｅＢから受信したダウンリンク信号のタイミング測定値を利用する。ＵＥは、ＬＣＳサーバから受信した補助データを使用して、受信信号のタイミングを測定し、得られた測定値を、隣接ｅＮｏｄｅＢに対するＵＥの位置を突き止めるために使用する。
【００１７】
ＯＴＤＯＡを使用して、端末は、複数の相異なる場所から受信したダウンリンク基準信号のタイミング差を測定する。各（測定される）隣接セルに関して、ＵＥは、隣接セルと基準セルとの相対タイミング差である基準信号時間差（ＲＳＴＤ）を測定する。この場合、ＵＥの推定位置は、ＲＳＴＤ測定値に対応する双曲線の交点として見つけられる。端末の２つの座標および受信機クロック偏倚を解決するためには、幾何学的に優れた地理的形状に配置された基地局からの、少なくとも３つの測定値が必要である。位置を解決するために、送信機位置および送信タイミングオフセットの正確な知識が必要である。
【００１８】
ＬＴＥにおいて測位を可能にするために、および適切な品質かつ十分な数の異なる場所に対する測位（位置測定）を容易にするために、測位専用の新しい物理信号が採用された（非特許文献１（３ＧＰＰ  ＴＳ３６．２１１））。この新しい信号は、測位基準信号（ＰＲＳ）と呼ばれている。また、低干渉測位サブフレームも規定された。
【００１９】
ＰＲＳは、予め定められたパターンに従って、１つのアンテナポート（Ｒ６）から送信される（非特許文献１）。物理セル識別情報（ＰＣＩ）の関数である周波数シフトは、直交パターンを生成し、効果的な６つの周波数の再使用をモデル化する指定のＰＲＳパターンに適用することができる。これは、測定されるＰＲＳへの隣接セル干渉を大幅に減少させることができ、それによって、位置測定を改善することができる。
【００２０】
＜測位補助データ＞
補助データは、無線デバイスまたは無線ノードの位置測定を支援するものである。異なる方法に関しては、通常、異なる補助データのセットが使用される。測位補助データは、他のノード経由で送信されてもよいが、通常、測位サーバから送信される。たとえば、補助データは、ｅＮｏｄｅＢに送信されてもよく、たとえばトランスペアレントにｅＮｏｄｅＢを通って、そこからさらにＵＥに、および移動管理エンティティ（ＭＭＥ）にも送信される。補助データは、ｅＮｏｄｅＢからＬＰＰａによって測位サーバにも送られてもよく、そこからさらにＵＥに転送される。
【００２１】
補助データは、測定を行う無線デバイスからの要求に応えて、送信されてもよい。あるいは、補助データは、求められることなく、すなわち要求されなくても、送信されてもよい。
【００２２】
ＬＴＥにおいては、ＬＰＰメッセージの中に、ｒｅｑｕｅｓｔＡｓｓｉｓｔａｎｃｅＤａｔａ（補助データ要求）要素およびｐｒｏｖｉｄｅＡｓｓｉｓｔａｎｃｅＤａｔａ（補助データ提供）要素を含めることによって、補助データは、ＬＰＰプロトコルで、それぞれ要求および提供されてもよい。現在のＬＴＥ標準は、ｐｒｏｖｉｄｅＡｓｓｉｓｔａｎｃｅＤａｔａ（補助データ提供）に関して、図１１に示す構造を規定している。この構造においては、ｃｏｍｍｏｎＩＥｓＰｒｏｖｉｄｅＡｓｓｉｓｔａｎｃｅＤａｔａ（共通ＩＥ補助データ提供）ＩＥは、将来の拡張のためだけに設けられており、現在使用されていない。このようにして、ＬＴＥ補助データは、Ａ−ＧＮＳＳおよびＯＴＤＯＡのために提供されてもよい。ＥＰＤＵシーケンスは、外部の他の機関によってＬＰＰのために定められたＩＥを含み、それは、ＯＭＡのＬＰＰ拡張（ＬＰＰｅ）だけに使用されてもよい。
【００２３】
同様の構造は、ｒｅｑｕｅｓｔＡｓｓｉｓｔａｎｃｅＤａｔａ（補助データ要求）に関しても存在しており、それを図１２に示す。図１２においては、ｃｏｍｍｏｎＩＥｓＲｅｑｕｅｓｔＡｓｓｉｓｔａｎｃｅＤａｔａ（共通ＩＥ補助データ要求）は、必要に応じて、サービングセルＩＤ（ＥＣＧＩ）を運んでもよい。
【００２４】
＜ＯＴＤＯＡ補助データ＞
ＯＴＤＯＡ測位に関しては、複数の異なる場所から来るＰＲＳ信号を測定する必要があるので、ＵＥ受信機は、サービングセルから受信する信号よりはるかに弱いＰＲＳを扱う必要があるだろう。さらに、測定する信号が時間内のいつ到達すると予想されているか、および正確なＰＲＳパターンは何かについてのおおよその知識なしには、ＵＥは、大きなウインドウ内で信号探索を行う必要があるであろう。そのような探索は、ＵＥの複雑さに加えて測定時間および測定精度に影響を及ぼすであろう。ＵＥによる測定を容易にするために、ネットワークは、補助データをＵＥに送信する。この補助データの中には、とりわけ、基準セル情報、隣接セルのＰＣＩを含む隣接セルリスト、連続するダウンリンクサブフレーム数、ＰＲＳ伝送帯域幅、周波数などを含む。
【００２５】
ＯＴＤＯＡに関しては、補助データは、基準セル（リスト内の１つのセル）情報および隣接セル（複数のセル）情報を備えるＯＴＤＯＡ−ＰｒｏｖｉｄｅＡｓｓｉｓｔａｎｃｅＤａｔａ  ＩＥ（ＯＴＤＯＡ補助データ提供ＩＥ）を備えている。このＩＥを図１３に示す。
【００２６】
隣接セルは、基準セルと同じ周波数であってもなくてもよい。基準セルは、サービングセルと同じ周波数であってもなくてもよい。サービングセルと異なる周波数のセルが関わる測定は、周波数間測定である。サービングセルと同じ周波数での測定は、周波数内測定である。周波数内測定と周波数間測定とに対しては、異なる要件が適用される。
【００２７】
現在の標準は、補助データの中にＥ−ＵＴＲＡセルを含めることだけを許容している。しかし、これらのセルは、異なるＲＡＴとして扱われているＦＤＤおよびＴＤＤに、今まで通り属していてもよい。
【００２８】
＜Ｅ−ＣＩＤ補助データ＞
補助データの配信は、ＵＥアシステッド形態またはｅＮｏｄｅＢ補助形態のＥ−ＣＩＤ測位に関しては必要とされていない。それどころか、これは、ＥＰＤＵ要素なしでは現在サポートされていない。また、ＵＥベースのＥ−ＣＩＤロケーションも現在サポートされておらず、補助データの配信手順は、アップリンクＥ−ＣＩＤ測位に適用できない。ＬＰＰに関して、Ｅ−ＣＩＤ用の補助データは、現在規定されていない。しかし、たとえばＬＰＰｅによって、何らかの補助データがＥ−ＣＩＤのために提供されてもよい。
【００２９】
＜ＯＭＡの補助データ拡張＞
オープンモバイルアライアンス（ＯＭＡ）のＬＰＰ拡張（ＬＰＰｅ）を用いて、補助データは、より広範囲の測位方法を支援する実行手段でエンハンスドされる（たとえば、補助データは、Ｅ−ＣＩＤ、またはたとえばＯＴＤＯＡ  ＵＴＲＡもしくはＥ−ＯＴＤ  ＧＳＭなどの他のＲＡＴの他の方法、または他のＰＬＭＮネットワークのためにも提供されてもよい）。さらに、ベンダ／オペレータ固有補助データを運ぶために作られるブラックボックス・データコンテナを運ぶ実行手段もある。
【００３０】
＜周波数間、帯域間、およびＲＡＴ間の測定＞
全てのＵＥは、全てのＲＡＴ内測定（すなわち、帯域内周波数間測定）をサポートするとともに、関連要件を満足することが必須である。しかし、帯域間およびＲＡＴ間測定は、ＵＥの能力であり、その能力は、呼設定中にネットワークに報告される。ある種のＲＡＴ間測定をサポートするＵＥは、対応する要件を当然満足する。たとえば、ＬＴＥおよびＷＣＤＭＡをサポートするＵＥは、ＬＴＥ内測定、ＷＣＤＭＡ内測定、およびＲＡＴ間測定（すなわち、サービングセルがＬＴＥであるときのＷＣＤＭＡ測定、およびサービングセルがＷＣＤＭＡであるときのＬＴＥ測定）を当然サポートする。従って、ネットワークは、その戦略に従って、これらの能力を使用することができる。これらの能力は、市場の需要、コスト、典型的なネットワーク配備シナリオ、周波数割り当てなどの要因によって、大いに影響を受ける。
【００３１】
＜周波数間測定＞
現在は、全ての測定が周波数内測定および周波数間測定として標準に規定されているわけではないけれども、周波数間測定は、原則として、どの測位方法でも考慮されてもよい。周波数間測定を行うとき、サービングキャリア周波数とターゲットキャリア周波数とは、同じ複信モードまたは異なる複信モードに属してもよい。たとえばＬＴＥのＦＤＤ−ＦＤＤ周波数間、ＬＴＥのＴＤＤ−ＴＤＤ周波数間、ＬＴＥのＦＤＤ−ＴＤＤ周波数間、またはＬＴＥのＴＤＤ−ＦＤＤ周波数間のシナリオなどでもよい。ＦＤＤキャリアは、全二重モードまたは半二重モードでさえ動作してもよい。標準によって現在規定されている周波数間測定の例は、ＯＴＤＯＡに用いられる基準信号時間差（ＲＳＴＤ）、たとえばフィンガープリンティングもしくはＥ−ＣＩＤなどに用いられてもよいＲＳＲＰおよびＲＳＲＱである。
【００３２】
ＵＥは、測定ギャップにおいて周波数間測定およびＲＡＴ間測定を行う。測定は、移動、測位、自己組織化ネットワーク（ＳＯＮ）、駆動試験の最小化などの種々の目的のために行われてもよい。さらに、周波数間測定およびＲＡＴ間測定の全てのタイプに、同じギャップパターンが使用される。それ故、Ｅ−ＵＴＲＡＮは、全ての周波数レイヤーおよびＲＡＴの同時モニタリング（すなわち、セル検出および測定）のために、一定のギャップ期間を有する単一の測定ギャップパターンを提供しなければならない。
【００３３】
ＬＴＥにおいては、測定ギャップは、他のＬＴＥ周波数および／または他のＲＡＴ（たとえば、ＵＴＲＡ、ＧＳＭ、ＣＤＭＡ２０００など）での測定を可能にするために、ネットワークによって設定される。測定ギャップの設定は、測定設定の一部として、無線リソース制御（ＲＲＣ）プロトコルによって、サービングセル無線ノードからＵＥに伝達される。たとえばＯＴＤＯＡなどの位置測定のために測定ギャップを必要とするＵＥは、たとえばｅＮｏｄｅＢなどのネットワークに、ネットワークがそれに基づいて測定ギャップを設定しうる指示を送信してもよい。さらに、測定ギャップは、ある種の規則に従って設定される必要があってもよい。たとえば、ＯＴＤＯＡ用の周波数間ＲＳＴＤ測定は、測定ギャップが非特許文献２（３ＧＰＰ  ＴＳ３６．１３３）セクション８．１．２．６の周波数間要件、たとえばサービングセルのＲＲＳ機会と重ならない、およびギャップパターン＃０を使用するなどに従って、設定される必要がある。
【００３４】
キャリアアグリゲーションシステムにおいては、複数のサービングセルがあってもよい。この場合、キャリアアグリゲーションモードのＵＥに対するサービングセルのセットは、１つのプライマリセルと、１つ以上の構成されたセカンダリセルとを備える。キャリアアグリゲーション対応のＵＥは、一般に、構成および始動されているプライマリセルおよびセカンダリセルの測定を行うために、測定ギャップを必要としない。しかし、たとえば、ＵＥが限られた数のサービングセルしかサポートできない、および／またはセルによっては、キャリアアグリゲーションのために停止されていることがある、もしくはセカンダリセルとして構成されていないことがあるなどの理由の１つから、ＵＥに対するサービングセルとして構成されていないか、または始動されていないセルが、システム内にあることがある。これらのセルで測定を行うためには、ＵＥは、通常、やはり測定ギャップを必要とするであろう。
【００３５】
＜ＲＡＴ間測定＞
一般にＬＴＥにおいては、ＲＡＴ間測定は、典型的に、周波数間測定と同様に定義されている。すなわち、ＲＡＴ間測定も、測定ギャップの設定を必要としてもよいが、より多くの測定制限があり、多くの場合に要件はより緩やかである。特殊な例として、重なり合うＲＡＴのセットを使用する複数のネットワークもあってもよい。ＬＴＥに関して現在規定されているＲＡＴ間測定の例は、ＵＴＲＡ  ＦＤＤ  ＣＰＩＣＨ  ＲＳＣＰ、ＵＴＲＡ  ＦＤＤキャリアＲＳＳＩ、ＵＴＲＡ  ＦＤＤ  ＣＰＩＣＨ  Ｅｃ／Ｎｏ、ＧＳＭキャリアＲＳＳＩ、およびＣＤＭＡ２０００  １ｘＲＴＴパイロット強度である。
【００３６】
測位に関しては、ＬＴＥのＦＤＤとＬＴＥのＴＤＤとを異なるＲＡＴとして扱うと想定すると、現在の標準は、ＦＤＤ−ＴＤＤ測定およびＴＤＤ−ＦＤＤ測定だけのＲＡＴ間要件を定義し、これらの２つの場合の要件は異なる。測位のために任意の個々のＲＡＴ内で規定されているＲＡＴ間測定で、かつ測位ノード（たとえば、ＬＴＥのＥ−ＳＭＬＣ）に報告することができるＲＡＴ間測定は、他にない。
【００３７】
＜帯域間測定＞
帯域間測定とは、サービングセルの周波数帯とは異なる周波数帯に属するキャリア周波数で、ＵＥがターゲットセルで行う測定を指す。周波数間測定とＲＡＴ間測定の両方とも、帯域内または帯域間であってもよい。
【００３８】
帯域間測定を行う理由は、現在のＵＥのほとんどが、同じ技術に関してさえ複数の帯域をサポートしているからである。これは、サービスプロバイダの利益になることから推進されている。１つのサービスプロバイダが、幾つかの異なる帯域のキャリアを所有することがあり、その場合は、異なるキャリア間で負荷分散を行うことによりキャリアを効率的に使用したい。周知の例は、８００／９００／１８００／１９００帯を用いるマルチバンドＧＳＭ端末の例である。別の例は、ＤＬ帯と同じ帯域内に対になるＵＬがなくて、別の周波数帯のＵＬと対になる必要があるときである。
【００３９】
さらに、ＵＥは、たとえばＧＳＭ、ＵＴＲＡ  ＦＤＤ、およびＥ−ＵＴＲＡＮ  ＦＤＤなどの複数の技術もサポートしてもよい。ＵＴＲＡ帯域とＥ−ＵＴＲＡ帯域は全て共通であるので、マルチＲＡＴのＵＥは、サポートしているＲＡＴの全てに対して同じ帯域をサポートしてもよい。
【００４０】
＜測位関連タイミング測定の周波数間要件＞
ＵＥのＲｘ−Ｔｘ測定またはｅＮｏｄｅＢのＲｘ−Ｔｘ測定に関しては、周波数間要件は現在定義されていない。ＯＴＤＯＡに関しては、現在の標準は、以下の２つのシナリオを想定して、ＲＳＴＤ測定の周波数間要件を定義している（非特許文献２（３ＧＰＰ  ＴＳ３６．１３３））。第１のシナリオにおいては、補助データの中で与えられる基準セルおよび全ての隣接セルが、同じ周波数ｆ２で動作する。この周波数ｆ２は、サービングセルの周波数ｆ１とは異なる。第２のシナリオにおいては、基準セルは、サービングセルの周波数ｆ１であるのに対して、補助データの中で与えられる全ての隣接セルは、サービングセルの周波数ｆ１とは異なる周波数ｆ２である。要件は、周波数チャネルおよび周波数帯に関して総称的である。すなわち、要件は、スペクトルの中の絶対位置および相対位置とは無関係に、任意の２つの異なるｆ１とｆ２に関して同じである。また、実際の配備においては、第１のシナリオと第２のシナリオとの中間のシナリオもあってもよい。さらに、要件は、２つの周波数に関してだけ定義されているが、ＯＴＤＯＡ測位に関して規定されたシグナリングは、基準セル周波数とは異なってもよい最大３つの周波数をサポートしている。また、この基準セル周波数も、サービング／プライマリセル周波数とは異なってもよい。
【先行技術文献】
【非特許文献】
【００４１】
【非特許文献１】３ＧＰＰ  ＴＳ３６．２１１
【非特許文献２】３ＧＰＰ  ＴＳ３６．１３３
【非特許文献３】３ＧＰＰ  ＴＳ３６．３５５
【非特許文献４】３ＧＰＰ  ＴＳ３６．３３１
【発明の概要】
【発明が解決しようとする課題】
【００４２】
従来技術の解決策に関して、少なくとも以下の問題点が特定されている。
【００４３】
ｅＮｏｄｅＢは、従来、周波数間ＲＳＴＤ測定を行うＵＥに対して、測定ギャップを正しく設定できない。それどころか、ｅＮｏｄｅＢは、測定が行われる周波数またはセルＩＤさえ知らないので、たとえばＰＲＳ測位機会と測定ギャップとを揃えることができない。その結果、測定ギャップは不正確に設定されるか、または位置測定のためにＰＲＳに対して十分に多いかまたは所要数のサブフレームを提供しない。これは、ＵＥによる測定が失敗する恐れがあるか、または測定要件が満足されない恐れがあることを意味する。
【００４４】
さらに、ＬＰＰｅまたはユーザプレーンを使用して受信された補助データによって要求される測定に関して、または非ＰＲＳベースの測定（これは、エンハンスドセル間干渉協調（ｅＩＣＩＣ）を用いて構成された制限測定パターンなどの、パターンに従って行われても行われなくてもよい）に関して、ＲＡＴ間測位のために測定ギャップを設定および使用するやり方が現在のところない。
【課題を解決するための手段】
【００４５】
本明細書に記載する基地局は、無線デバイスが、１つ以上のノンサービング周波数（非サービス提供用周波数）で１つ以上の位置測定をその間に行う、１つ以上の測定ギャップを設定する。基地局は、位置測定が行われる１つ以上の非サービス提供用周波数に関して取得する情報に基づいて、測定ギャップを好都合に設定する。このように測定ギャップを設定することにより、基地局は、設定する測定ギャップを隣接セルからの測位基準信号の発生に対して知的に揃えることができる。このように揃えると、デバイスの位置測定は、従来の手法より確実で正確になる。実際のところ、従来の手法の位置測定は、場合によっては完全に失敗することがあるのに対して、本明細書の位置測定は、そのようなことは起こらないであろう。
【００４６】
より詳細には、本明細書の基地局は、サービングセル内の無線デバイスに、サービング周波数（サービス提供用周波数）でサービスを提供するように構成されている。基地局は、無線デバイスが１つ以上の位置測定を行う、１つ以上の非サービス提供用周波数を示す情報を取得する。これらの位置測定は、無線デバイスの地理的位置を決定するために、たとえばデバイス自体またはシステム内の別のノードが行う。取得した情報に示される少なくとも１つの非サービス提供用周波数に関して、基地局は、無線デバイスが対応する位置測定をその間に行う、測定ギャップを設定する。具体的には、基地局は、隣接セルが非サービス提供用周波数で測位基準信号を送信する期間中に、その測定ギャップが生じるように設定する。本明細書で使用する限り、測位基準信号は、無線デバイスが位置測定を行う信号である（たとえば、良好な信号品質を有する）ように特に設計されている。このように測定ギャップを測位基準信号の送信と揃えることによって、位置測定は、成功する可能性が高くなり、品質がよくなる。
【００４７】
少なくとも幾つかの実施形態においては、基地局が取得する情報は、無線デバイスが１つ以上の位置測定を行う、１つ以上の非サービス提供用周波数を示すだけである。他の実施形態においては、この情報は、無線デバイスが１つ以上の位置測定を行う、少なくとも１つの隣接セルも特定する。この場合、セルは、セル識別子などのセル固有情報によって識別されてもよい。また別の実施形態においては、この情報は、示された非サービス提供用周波数で１つ以上の隣接セルが位置測定用のそれぞれの信号をその間に送信する期間も、実際に示す。
【００４８】
少なくとも１つの実施形態においては、基地局は、基地局のメモリ内のデータベースから情報を取得する。他の実施形態においては、基地局は、無線通信システムのネットワークノード、たとえば測位ノード、Ｏ＆Ｍノード、またはＳＯＮノードなどから、情報を取得する。また別の実施形態においては、基地局は、無線デバイス自体から情報を取得する。さらなる実施形態においては、基地局は、測位ノードと無線デバイスとの間で伝送される上位レイヤー通信を調査することによって、情報を取得する。
【００４９】
非サービス提供用周波数に加えて示される特定の情報、または基地局が情報を取得する特定のやり方に関わらず、幾つかの実施形態においては、基地局は、１つ以上の予め定められた規則に従って測定ギャップを設定しなければならないという意味において、幾分制限されている。たとえば、一実施形態においては、基地局は、デバイスのサービングセルが自セルの測位基準信号を送信する期間中に測定ギャップが生じないように、測定ギャップを設定しなければならない。
【００５０】
基地局がこのように制限されているときは特に、基地局は、隣接セルが測位基準信号を送信する期間中に測定ギャップが生じるように、常に設定できるというわけではない。従って、基地局は、別のタイプの信号で測定を行うことができるように、測定ギャップを状況に合わせて設定してもよい。すなわち、取得した情報によって示される少なくとも１つの非サービス提供用周波数に関して、基地局は、隣接セルがその非サービス提供用周波数で測位基準信号以外の信号を送信する期間中に、測定ギャップが生じるように設定してもよい。基地局は、非測位基準信号に関して測定ギャップをこのように無条件に設定してもよいのに対して、少なくとも幾つかの実施形態の基地局は、測位基準信号に関して測定ギャップを設定することができない範囲内で、そのように測定ギャップを設定する。
【００５１】
また、本明細書の実施形態は、対応する方法に加えて上記に従って構成された、無線デバイスおよびネットワークノードも有する。
【００５２】
もちろん、本発明は、上記の特徴および利点に限定されない。それどころか、当業者は、以下の詳細説明を読み添付の図面を見るとき、追加の特徴および利点を認識するであろう。
【図面の簡単な説明】
【００５３】
【図１】ユーザ装置の地理的位置を測定するように構成されたＬＴＥシステムのブロック図である。
【図２】１つ以上の実施形態に従って構成された、基地局、無線デバイスおよびネットワークノードを有する無線通信システムのブロック図である。
【図３】１つ以上の実施形態に従って構成された基地局のブロック図である。
【図４】１つ以上の実施形態による、基地局が行うクロスレイヤ調査の図である。
【図５】１つ以上の実施形態に従って構成された無線デバイスのブロック図である。
【図６】１つ以上の実施形態に従って構成されたネットワークノードのブロック図である。
【図７】１つ以上の実施形態による、基地局が実施する方法の論理フロー図である。
【図８】１つ以上の実施形態による、無線デバイスが実施する方法の論理フロー図である。
【図９】１つ以上の実施形態による、ネットワークノードが実施する方法の論理フロー図である。
【図１０】１つ以上の他の実施形態による、ネットワークノードが実施する方法の論理フロー図である。
【図１１】従来技術のＬＴＥ標準に規定されているｐｒｏｖｉｄｅＡｓｓｉｓｔａｎｃｅＤａｔａ（補助データ提供）要素のデータ構造の図である。
【図１２】従来技術のＬＴＥ標準に規定されているｒｅｑｕｅｓｔＡｓｓｉｓｔａｎｃｅＤａｔａ（補助データ要求）要素のデータ構造の図である。
【図１３】従来技術のＬＴＥ標準に規定されているＯＴＤＯＡ−ＰｒｏｖｉｄｅＡｓｓｉｓｔａｎｃｅＤａｔａ（ＯＴＤＯＡ補助データ提供）要素のデータ構造の図である。
【図１４】１つ以上の実施形態に従って、ＬＴＥ標準に提案するｐｒｓ−ＳｕｂｆｒａｍｅＯｆｆｓｅｔ（ｐｒｓサブフレームオフセット）要素のデータ構造の図である。
【図１５】１つ以上の実施形態に従って、ＬＴＥ標準に提案するＵＬ−ＤＣＣＨメッセージのデータ構造の図である。
【図１６】１つ以上の実施形態に従って、ＬＴＥ標準に提案するＩｎｔｅｒＦｒｅｑＲＳＴＤＭｅａｓｕｒｅｍｅｎｔｉｎｄｉｃａｔｉｏｎ−ｒ１０（周波数間ＲＳＴＤ測定インジケーション（指示）ｒ１０）要素のデータ構造の図である。
【発明を実施するための形態】
【００５４】
図２は、１つ以上の実施形態による無線通信システム３０を簡単化した例を示す。図に示すように、無線通信システム３０は、無線アクセスネットワーク（ＲＡＮ）３２、コアネットワーク（ＣＮ）３４、および１つ以上の無線デバイス３６を有する。ＲＡＮ３２およびＣＮ３６により、無線デバイス３６は、公衆交換電話網（ＰＳＴＮ）またはインターネットなどの１つ以上の外部ネットワーク３８にアクセスすることが可能になる。
【００５５】
ＲＡＮ３２は、無線通信システム３０がサービスを提供する広い地理的エリアにわたって地理的に分散されている多くの基地局４０を有する。各基地局４０は、その地理的エリアの、セル４２と呼ぶ１つ以上のそれぞれの部分に対して、無線カバレッジを提供する。図に示すように、たとえば、基地局４０−１は、セル４２−１内の無線デバイス３６にサービスを提供し、基地局４０−２は、セル４２−２内の無線デバイス３６にサービスを提供するなどである。このため、無線デバイス３６は、セル４２内またはセル４２間を移動することができ、任意の所与の場所において、１つ以上の基地局４０と通信することができる。
【００５６】
これに関して、図２は、その現在の場所で、基地局４０−ｓからサービスを受けている特定の無線デバイス３６を示す。従って、この無線デバイス３６の観点からは、基地局４０−ｓは、サービング基地局であり、セル４２−ｓは、サービングセルである。他のセル４２−１および４２−２は、サービングセル４２−ｓに地理的に隣接しているという意味において、サービングセル４２−ｓに物理的に隣接している。従って、これらのセル４２−１および４２−２は、適切にも隣接セルと呼ばれている。
【００５７】
各セル４２は、（その基地局４０によって）いわゆる測位基準信号４６を周期的に送信する。本明細書で使用する限り、測位基準信号４６は、無線デバイスが測位（位置測定）を行う信号であるように（たとえば、良好な信号品質を有するように）特に設計されている。これらの位置測定値は、デバイスの地理的位置を決定するために、端末自体またはコアネットワーク３５内の他のネットワークノード４４（たとえば、測位ノード）によって使用されることになっている。幾つかの実施形態においては、たとえば、その位置測定は、タイミング測定を備える。その場合、無線デバイスは、様々なセル４２から受信した様々な測位基準信号４６間のタイミング差（たとえば、ＲＳＴＤ、Ｒｘ−Ｔｘ、またはＴＡ）を測定してもよい。次いで、これらのタイミング差は、様々なセル４２に対するデバイスの位置を推定するために使用される。
【００５８】
測位基準信号４６に対して行われる特定のタイプの位置測定に関わらず、少なくとも幾つかのセル４２は、異なる周波数でそれらの信号を送信する。図に示すように、たとえば、サービングセル４２−ｓは、サービス提供用周波数ｆｓでその測位基準信号４６−ｓを送信するのに対して、隣接セル４２−１および４２−２のそれぞれは、それぞれの非サービス提供用周波数ｆ１、ｆ２でその測位基準信号４６−１、４６−２を送信する。少なくとも幾つかの実施形態においては、これらの非サービス提供用周波数ｆ１およびｆ２は、同じではない。すなわち、ｆ１≠ｆ２である。この場合、位置測定は、少なくとも２つの異なる可能な非サービス提供用周波数ｆ１、ｆ２から選択された１つ以上の非サービス提供用周波数ｆ１、ｆ２で行われてもよい。無線デバイス３６は、いわゆる測定ギャップ中に、非サービス提供用周波数ｆ１、ｆ２で位置測定を行う。本明細書で使用する限り、測定ギャップは、無線デバイス３６が、非サービス提供用周波数で測定を行う期間で、かつサービングセルの周波数で、データを少しも送信しない、またはサービングセルもしくは他のセルと通信しない期間を指す。
【００５９】
このため、サービング基地局４０−ｓは、無線デバイス３６が１つ以上の非サービス提供用周波数ｆ１、ｆ２で１つ以上の位置測定をその間に行う、１つ以上の測定ギャップを設定（すなわち、時間設定またはスケジュール）する。特に、基地局４０−ｓは、１つ以上の非サービス提供用周波数ｆ１、ｆ２に関して取得した情報（以下、「非サービス提供用周波数情報」または「エンハンスド測定ギャップ関連情報（ＥＭＧＲＩ）」とも呼ぶ）に基づいて、それを知的に行う。
【００６０】
図３は、これに関して、サービング基地局４０−ｓの追加の詳細を示す。図３に示すように、基地局４０−ｓは、無線インタフェース５０と、１つ以上の処理回路５２とを有する。無線インタフェース５０は、無線リソースを用いて無線デバイス３６と無線で通信するように構成されている。１つ以上の処理回路５２は、測定ギャップ設定回路５４を有する。
【００６１】
測定ギャップ設定回路５４は、１つ以上の非サービス提供用周波数ｆ１、ｆ２に関する上述の情報を取得するように構成されている。この情報は、無線デバイス３６が、無線デバイスの地理的位置を決定するために使用する１つ以上の位置測定を行う、１つ以上の非サービス提供用周波数ｆ１、ｆ２についてより具体的に示す。この情報によって示される少なくとも１つの非サービス提供用周波数ｆ１、ｆ２に関して、測定ギャップ設定回路５４は、無線デバイス３６が対応する位置測定をその間に行う測定ギャップを設定する。具体的には、測定ギャップ設定回路５４は、隣接セル４２−１、４２−２がその非サービス提供用周波数ｆ１、ｆ２で測位基準信号４６−１、４６−２を送信する期間中に、その測定ギャップが生じるように設定する。このようにして、測定ギャップ設定回路５４は、設定される測定ギャップを隣接セル４２−１、４２−２からの測位基準信号の出現と知的に揃える。このように揃えると、デバイスの位置測定は、より確実で正確になる。
【００６２】
少なくとも幾つかの実施形態においては、測定ギャップ設定回路５４が取得する情報は、無線デバイス３６が１つ以上の位置測定を行う、１つ以上の非サービス提供用周波数ｆ１、ｆ２だけを示す。この場合、基地局４０−ｓは、サービングセル４２−ｓにどのセル４２が隣接するか、それらの隣接セル４２がどの周波数を使用するか、およびそれらの隣接セル４２が測位基準信号４６を送信する期間を示す、隣接セル情報を用いて予め構成されている。測定ギャップ設定回路５４は、位置測定が行われる非サービス提供用周波数ｆ１、ｆ２についての情報を取得すると、その隣接セル情報から、示された非サービス提供用周波数ｆ１、ｆ２で、隣接セル４２が測位基準信号４６を送信する期間を、決定、推定、または導出する。次いで、測定ギャップ設定回路５４は、それらの期間中に測定ギャップが生じるように設定する。
【００６３】
もちろん、測定ギャップ設定回路５４が取得する情報は、位置測定に関係しているので、そのような隣接セル情報の一部または全部も示していてもよい。幾つかの実施形態においては、例として、情報は、無線デバイス３６が１つ以上の位置測定を行う少なくとも１つの隣接セル４２−１、４２−２も特定する。すなわち、非サービス提供用周波数ｆ１、ｆ２だけが示されている実施形態とは違って、情報は、実際に、測定が行われる隣接セル４２を識別する。そのように識別すると、情報は、測定ギャップ設定回路５４が、示された非サービス提供用周波数ｆ１、ｆ２で測位基準信号４６が送信される期間を特定するのを、より具体的に支援する。
【００６４】
少なくとも幾つかの実施形態においては、同じ非サービス提供用周波数で測位基準信号４６を送信する複数の隣接セル４２は、同じ期間中にそれらの信号４６を送信することに留意されたい。この場合、測定ギャップ設定回路５４が取得する情報は、１つを超える隣接セル４２がその非サービス提供用周波数で測位基準信号４６を実際に送信する場合でさえ、無線デバイス３６が位置測定を行う各非サービス提供用周波数に関して、１つの隣接セル４２だけを特定してもよい。１つのセル識別情報で十分なのは、これらの実施形態においては、測定ギャップ設定回路５４が、いったん位置測定を行うための測定ギャップを設定すると、無線デバイス３６は、測定ギャップ中に送信される、それぞれの異なる測位基準信号４６で位置測定を行うからである。
【００６５】
他の実施形態においては、測定ギャップ設定回路５４が取得する情報は、１つ以上の隣接セル４２−１、４２−２が、示された非サービス提供用周波数ｆ１、ｆ２でそれぞれの測位基準信号４６−１、４６−２を送信する期間も実際に示す。たとえば、少なくとも１つの実施形態においては、情報は、任意の所与の隣接セル４２−１、４２−２がその測位基準信号４６−１、４６−２を送信する期間を、サービングセル４２−ｓがその測位基準信号４６−ｓを送信する期間からのオフセットとして示す。以下により詳細に説明するように、このオフセットは、サブフレームオフセットであってもよい。
【００６６】
もちろん、オフセットは、また別の方法で示されてもよい。別の例として、オフセットは、いわゆる基準セル４２（図に示していない）がその測位基準信号４６を送信する期間に対して示されてもよい。基準セル４２は、隣接セル４２−１、４２−２のどれでもよいし、またサービングセル４２−ｓであってさえもよい。どのセルが基準セルになるかに関係なく、その基準セル４２が送信する測位基準信号４６で行われる位置測定は、他のセル４２が送信する測位基準信号４６で行われる位置測定の基準として役立つ。
【００６７】
少なくとも１つの別の実施形態においては、情報は、隣接セル４２−１、４２−２が複数の異なる予め定められた測位基準信号構成の１つを採用していることを示すことにより、任意の所与の隣接セル４２−１、４２−２が、その測位基準信号４６−１、４６−２を送信する期間を示す。これらの異なる測位基準信号構成は、セル４２から測位基準信号を送信する異なる周期および異なるタイミングオフセットを指定し、異なる構成指標で識別されてもよい。以下でより詳細に説明するＬＴＥの状況においては、そのような構成指標は、非特許文献１（３ＧＰＰ  ＴＳ３６．２１１）に定義されているＰＲＳ構成を備えていてもよい。
【００６８】
非サービス提供用周波数ｆ１、ｆ２に加えて示される特定の情報とは関係なく、幾つかの実施形態においては、測定ギャップ設定回路５４は、１つ以上の予め定められた規則に従って測定ギャップを設定しなければならないという意味において、幾分制限されている。たとえば、一実施形態においては、測定ギャップ設定回路５４は、デバイスのサービングセル４２−ｓが自セルの測位基準信号４６−ｓを送信する期間中に測定ギャップが生じないように、測定ギャップを設定しなければならない。代替または追加で、測定ギャップ設定回路５４は、特定のギャップパターンを使用して、測定ギャップを設定しなければならない。そのような予め定められた規則により、無線デバイス３６は、サービス提供用周波数ｆｓで行う位置測定を、非サービス提供用周波数ｆ１、ｆ２で行う他の位置測定とかち合うことなく、確実に行えるようになる。
【００６９】
特に測定ギャップ設定回路５４がそのような規則によって制限されているとき、およびたぶん他の理由から、測定ギャップ設定回路３４は、隣接セル４２が測位基準信号４６を送信する期間中に、特定の非サービス提供用周波数で位置測定を行うための測定ギャップが生じるように、常に設定できるというわけではない。上述のように、測位基準信号で行われる測定は、他の信号で行われる測定より確実で正確であるので、これは好ましくない。とはいえ、測定ギャップ設定回路５４は、別のタイプの信号で測定を行うことができるように、都合に合わせて測定ギャップを設定してもよい。すなわち、取得した情報に示される少なくとも１つの非サービス提供用周波数に関して、測定ギャップ設定回路２４は、その非サービス提供用周波数で隣接セルが測位基準信号４６以外の信号を送信する期間中に、無線デバイス３６が位置測定をその間に行う測定ギャップが生じるように設定してもよい。
【００７０】
幾つかの実施形態においては、測定ギャップ設定回路５４は、隣接セルが非サービス提供用周波数で測位基準信号４６以外の信号を送信する期間中に、無線デバイス３６が位置測定をその間に行う測定ギャップが生じるように、無条件に設定することに留意されたい。しかし、他の実施形態においては、測定ギャップ設定回路５４は、隣接セルがその非サービス提供用周波数で測位基準信号４６を送信する期間中に、測定ギャップが生じるように設定できない場合だけ、そのようにする。
【００７１】
万一測定を測位基準信号で行うことができない場合に備えて、位置測定を行うのに適しているであろう相当数の異なるタイプの信号が用意されている。１つのタイプには、セル固有基準信号（ＣＲＳ）を含む。他のタイプは、端末固有基準信号、同期信号、パイロット信号などを含む。これらの信号は、都合に合わせてより頻繁に送信されてもよく、それ故、測位基準信号より利用し易いことがある。しかし、たとえばＵＥが隣接セルのタイミングを知らないときなどの、無線デバイスが知らないとき、または測定がある種のパターン（ｅＩＣＩＣ用の制限測定パターンなど）で行われるときも、これらの信号は、やはり送信または測定に利用されてもよい。隣接セル４２がこれらの非測位基準信号をいつ送信するかについての情報は、測位基準信号４６に関する上述のやり方とほとんど同じように、測定ギャップ設定回路５４によって取得されてもよい。
【００７２】
測定ギャップ設定回路５４は、無線デバイス３６が幾つものやり方によって１つ以上の位置測定を行う、１つ以上の非サービス提供用周波数ｆ１、ｆ２を示す情報を取得することができる。幾つかの実施形態においては、たとえば、測定ギャップ設定回路５４は、無線デバイス３６から、たとえば無線インタフェース５２を介して、情報の少なくとも一部を受信する。１つのそのような手法で、測定ギャップ設定回路５４は、無線デバイス３６からの測定ギャップリクエスト（要求）の中で情報の少なくとも一部を受信する。この測定ギャップリクエストは、基地局４０−ｓに、無線デバイス３６が１つ以上の非サービス提供用周波数ｆ１、ｆ２で１つ以上の位置測定をその間に行う、１つ以上の測定ギャップを設定するように要求する。その要求に応えて、基地局４０−ｓは、上述のように、要求された測定ギャップを設定して、それらの測定ギャップがいつ生じるように設定されているかを特定する情報で答える。ＬＴＥ実施形態においては、無線デバイス３６は、リクエストを基地局４０−ｓに送信し、基地局４０−ｓは、たとえば無線リソース制御（ＲＲＣ）などの、上位レイヤーのシグナリングプロトコルを使用してレスポンスを送信する。
【００７３】
別の手法においては、測定ギャップ設定回路５４は、無線デバイス３６から測定ギャップリクエストを受信し、それに応えて、非サービス提供用周波数情報の少なくとも一部を求めるためのリクエストを無線デバイス３６に送信する。従って、無線デバイス３６は、基地局４０−ｓに測定ギャップリクエストの中で情報を進んで送信するのではなく、基地局４０−ｓが実際に情報を求めるまで待つ。基地局の情報リクエストは、たとえば位置測定が行われる非サービス提供用周波数、および隣接セル識別子などの、どのタイプの情報を要求しているかを示してもよい。そして、直前の手法と同様に、基地局のリクエストおよび無線デバイスの応答は、上位レイヤーのシグナリングプロトコルを使用して送信されてもよい。
【００７４】
他の実施形態においては、測定ギャップ設定回路５４は、ネットワークノード４４から、たとえばネットワークノードインタフェース５６を介して、情報の少なくとも一部を受信する。少なくとも１つの実施形態においては、たとえば、測定ギャップ設定回路５４は、基地局４０−ｓからの情報のリクエストに応じて、ネットワークノード４４からその情報を受信する。基地局４０−ｓは、無線デバイス３６から測定ギャップリクエストを受信すると、その情報を要求してもよい。情報リクエストには、とりわけ、無線デバイスの識別情報、トランザクション識別情報、無線デバイス３６とネットワークノード４４との測位セッション識別情報、行うべき位置測定のタイプなどを含んでもよい。また、情報リクエストでは、測定を行ってもよい非サービス提供用周波数をネットワークノード４４が特定できるように、無線デバイスのサービングセル４２−ｓを明示的に特定してもよい。あるいは、ネットワークノード４４は、たとえば、情報リクエストを送信した基地局４０−ｓについての情報、またはリクエストがどのような経路でネットワークノード４４に届けられたかについての情報に基づいて、サービングセル識別情報を暗示的に導出また取得してもよい。
【００７５】
少なくとも１つの他の実施形態においては、測定ギャップ設定回路５４は、その情報を要求する必要なしに、ネットワークノード４４から情報の少なくとも一部を受信する。場合によっては、たとえば、無線デバイス３６は、測定ギャップを求めるリクエストを、ネットワークノード４４に送信する。この測定ギャップリクエストには、とりわけ、無線デバイスの識別情報、トランザクション識別情報、無線デバイス３６とネットワークノード４４との測位セッション識別情報、行うべき位置測定のタイプなどを同様に含んでもよい。また、リクエストは、サービングセル４２−ｓも特定してもよい。とにかく、このリクエストの受信に応えて、ネットワークノード４４は、上述のように、基地局４０−ｓが測定ギャップの設定において究極的に必要とする非サービス提供用周波数情報の少なくとも一部を、基地局４０−ｓに進んで送信する。他の場合には、ネットワークノード４４は、１つ以上の位置測定を行うための補助データを無線デバイス３６に送信するまで、この情報を基地局４０−ｓに送信するのを待ってもよい。これらの場合のいずれにおいても、ＬＴＥ実施形態においては、情報は、ＬＰＰａまたはＬＰＰｅによって送信されてもよい。
【００７６】
上記の実施形態においては、測定ギャップ設定回路５４は、無線デバイス３６またはネットワークノード４４から、明示的な制御シグナリングによって情報を受信したが、他の実施形態においては、測定ギャップ設定回路５４は、無線デバイス３６とネットワークノード４４との間で伝送される上位レイヤー通信を調査または感知することでその情報を受け取る。図４は、これらのいわゆるクロスレイヤの実施形態をより詳細に示す。図４に示すように、基地局４０−ｓ、無線デバイス３６、およびネットワークノード４４は、それぞれプロトコルスタックを実装している。無線デバイス３６とネットワークノード４４は、測位プロトコルレイヤ（ＬＴＥ実施形態のＬＰＰなど）と呼ばれる、それらのプロトコルスタックの上位レイヤーで通信する。基地局４０−ｓは、一般に物理レイヤーと呼ばれるプロトコルスタックの下位レイヤーで、無線デバイス３６およびネットワークノード４４のそれぞれと通信する。これらの下位レイヤー通信を通して、基地局４０−ｓは、無線デバイス３６とネットワークノード４４との間の上位レイヤー通信を、トランスペアレントに転送または中継する。
【００７７】
トランスペアレントといっても、本明細書の好適な実施形態によれば、基地局４０−ｓは、無線デバイス３６とネットワークノード４４との間の通信を転送しているとき、上位レイヤー通信を調査する。これらの上位レイヤー通信は、例として、ネットワークノード４４から無線デバイス３６に送信されている補助データを含んでいることがある。その場合、この補助データのクロスレイヤ調査を通して、基地局４０−ｓは、非サービス提供用周波数情報の少なくとも一部を取得または抽出する。
【００７８】
また別の実施形態においては、測定ギャップ設定回路５４は、たとえば運用保守ノード、または自己組織化ネットワークノードなどの他のネットワークノードから、情報の少なくとも一部を受信する。また別の実施形態においては、測定ギャップ設定回路５４は、基地局４０−ｓの内部メモリ５８か、または外部の別のノードに格納されたデータベースから情報の少なくとも一部を受信する。
【００７９】
ここで、図５は、上述の実施形態に従った無線デバイス３６の追加の詳細を示す。図５に示すように、無線デバイス３６は、無線インタフェース６０と、１つ以上の処理回路６２とを有する。無線インタフェースは、無線リソースを用いて基地局４０−ｓと無線で通信するように構成されている。１つ以上の処理回路６２は、補助データ処理回路６４、測定ギャップ設定回路６６、および測定回路６８を有する。
【００８０】
補助データ処理回路６４は、ネットワークノード４４から、無線インタフェース６０を介して、補助データを受信するように構成されている。さらに、補助データ処理回路６４は、その補助データを、無線デバイス３６が測定ギャップを要求する１つ以上の位置測定、すなわち、１つ以上の非サービス提供用周波数ｆ１、ｆ２で行われる１つ以上の位置測定と関係があると、解釈または認識するように構成されている。これに関して、補助データは、その非サービス提供用周波数を示す情報を有する。
【００８１】
測定ギャップ設定回路６６は、無線インタフェース６０を介して基地局４０−ｓに、測定ギャップリクエストを送信するように構成されている。この測定ギャップリクエストは、基地局４０−ｓに、無線デバイス３６が１つ以上の位置測定をその間に行う、１つ以上の測定ギャップを設定するように要求する。測定ギャップリクエストの送信と併せて、測定ギャップ設定回路６６は、無線デバイス３６が１つ以上の位置測定を行う、１つ以上の非サービス提供用周波数ｆ１、ｆ２を示す情報も、基地局４０−ｓに送信するように構成されている。幾つかの実施形態においては、たとえば、測定ギャップ設定回路６６は、測定ギャップリクエスト自体の中にその情報を含める。
【００８２】
ここで留意すべきは、測定ギャップ設定回路６６は、ネットワークノードからこの情報に関連する補助データを受信してもよいので、基地局４０−ｓに測定ギャップリクエストと併せてこの情報を送信することができるということである。しかし、幾つかの実施形態においては、測定ギャップ設定回路６６は、測定ギャップを要求する周波数間より多い周波数間に関連する補助データを受信する。この場合、測定ギャップ設定回路６６は、測定ギャップが要求されるセルまたは周波数のサブセットを知的に選択する。
【００８３】
たとえば、幾つかの（キャリアアグリゲーション対応などの）無線デバイス３６は、測定ギャップを要求する必要なしに、補助データを受信した周波数の少なくとも一部で、周波数間測定を行えることがある。この場合、無線デバイスの測定ギャップ設定回路６６は、それらの周波数に関して、測定ギャップを要求するのを控えるように構成され、それ故、周波数のサブセットに関してだけ測定ギャップを要求してもよい。別の例として、無線デバイス３６が補助データを受信した全ての周波数での測定が可能でない場合、測定ギャップ設定回路６６は、それらの周波数のサブセットだけに関して測定ギャップを選択および要求してもよい。追加または代替で、測定ギャップ設定回路６６は、同じギャップパターン等によってＰＲＳ機会をカバーしうる周波数を選択してもよい。
【００８４】
それとは関係なく、前述の実施形態にあるように、基地局４０−ｓに送信される情報は、測定が行われる少なくとも１つの隣接セル４２、それらのセル４２が測位基準信号４６を送信する期間などを、さらに特定してもよい。
【００８５】
測定ギャップ設定回路６６は、基地局４０−ｓからの応答を受信するようにも構成されている。その応答は、１つ以上の測定ギャップがいつ生じるように設定されているかを特定する情報を有する。これに対して、測定回路６８は、受信した補助データを使用して、応答に示される設定された１つ以上の測定ギャップ中に、１つ以上の非サービス提供用周波数ｆ１、ｆ２で、１つ以上の位置測定を行うように構成されている。そうする中で、測定回路６８は、対応する非サービス提供用周波数ｆ１、ｆ２を使用して、対応する測定ギャップ中に隣接セル４２−１、４２−２から送信される測位基準信号４６−１、４６−２を測定することで、少なくとも１つの位置測定を行う（すなわち、時間を見計らって行う）ように構成されている。
【００８６】
図６は、上述の実施形態に従うネットワークノード４４（たとえば、測位ノード）の追加の詳細を示す。図６に示すように、ネットワークノード４４は、ネットワークインタフェース７２と、１つ以上の処理回路７４とを有する。ネットワークインタフェース７２は、ネットワークノード４４を（たとえば、下位レイヤプロトコルによって）基地局４０−ｓに、および（たとえば、上位レイヤプロトコルによって）無線デバイス３６に通信可能に連結するように構成されている。１つ以上の処理回路７４は、補助データコントローラ７６および位置測定コントローラ７８を有する。
【００８７】
補助データコントローラ７６は、無線デバイス３６が１つ以上の位置測定を行うのを補助する補助データを、取得するように構成されている。補助データコントローラ７６は、たとえば、無線デバイス３６からその位置に関するリクエストを受信したことに応えて、補助データを受信してもよい。とにかく、取得した補助データは、無線デバイス３６が１つ以上の位置測定を行う、１つ以上の非サービス提供用周波数ｆ１、ｆ２を示す情報を有する。補助データコントローラ７６は、この補助データを取得して、無線デバイス３６に、この補助データと、無線デバイス３６に１つ以上の位置測定を行うよう求めるリクエストとを送信するように構成されている。特に、補助データコントローラ７６は、無線デバイス３６が１つ以上の位置測定を行う、１つ以上の非サービス提供用周波数ｆ１、ｆ２を示す情報を、無線デバイスのサービング基地局４０−ｓに送信するようにさらに構成されている。こうすることにより、基地局４０−ｓは、上述のように、無線デバイス３６のために測定ギャップを設定することができる。
【００８８】
少なくとも幾つかの実施形態においては、ネットワークノード４４は、そのような測定のために測定ギャップを設定できるサービング基地局の能力に基づいて、無線デバイス３６に、非サービス提供用周波数で位置測定を行うように知的に要求することに留意されたい。それらの測定のために測定ギャップを用意できる基地局の能力に基づいて、無線デバイス３６に位置測定を行うように要求することによって、ネットワークノード４４は、要求する位置測定が失敗する可能性を都合よく減少させる。
【００８９】
具体的には、これらの実施形態における位置測定コントローラ７８は、無線デバイス３６が１つ以上の非サービス提供用周波数ｆ１、ｆ２で１つ以上の位置測定をその間に行うことができる、１つ以上の測定ギャップを基地局４０−ｓが設定できるか否かを示す情報を、取得するように構成されている。基地局４０−ｓが設定できる場合、位置測定コントローラ７８は、無線デバイス３６に少なくとも１つの隣接セル４２−１、４２−２に関して１つ以上の位置測定を行うように求めるリクエストを、無線デバイス３６に送信する。あるいは、基地局４０−ｓが設定できない場合、位置測定コントローラ７８は、そのリクエストを送信するのを控えるか、または位置測定を行う異なる非サービス提供用周波数を決定する。
【００９０】
上記の説明では、概して、位置測定を１つ以上の非サービス提供用周波数で行われると述べているが、当業者は、その位置測定が従来「周波数間」測定と呼んでいる以上の測定を包含しうることを理解するであろう。実際、周波数間測定は、通常、サービス提供用周波数とは異なる周波数だが、サービングＲＡＴと同じ無線アクセス技術（ＲＡＴ）で、および／またはサービング帯と同じ周波数帯内で、送信される信号で行われる測定を意味している。もちろん、ＲＡＴおよび周波数帯が異なると、周波数が異なることに影響する。すなわち、１つ以上の非サービス提供用周波数で行われる位置測定というのは、周波数間測定だけでなく、ＲＡＴ間測定および帯域間測定も包含することを意味している。
【００９１】
この点に関して留意すべきは、無線デバイス３６が取得する情報は、無線デバイス３６が１つ以上の位置測定を行う、１つ以上の非サービングＲＡＴを実際に示していてもよいということである。より具体的には、無線デバイス３６は、上位レイヤプロトコルのエクステンション（拡張）（たとえば、ＬＰＰｅ）とユーザプレーン通信（たとえば、ＳＵＰＬ）との少なくとも１つによって、その情報を受信してもよい。さらに、無線デバイス３６は、その情報を、１つ以上の非サービングＲＡＴを実施する１つ以上の隣接セル４２−１、４２−２で位置測定を行うために、その情報を使用することを無線デバイスに求めるリクエストと併せて受信してもよい。
【００９２】
上記の実施形態の中の種々の実施形態において、異なる隣接セル４２−１、４２−３は、同じ非サービス提供用周波数を使用してそれらの信号４６−１、４６−２を送信するにもかかわらず、（期間は重なり合うことがあるが、全く同じものではないという意味において）異なる期間中に、測位基準信号４６−１、４６−２を送信するように構成されていることも、当業者は理解するであろう。他の実施形態においては、無線通信システム３０は、異なる非サービス提供用周波数で測位基準信号４６を送信する、３つ以上の隣接セル４２を有する。とにかく、これらの実施形態においては、上述の基地局４０−ｓは、そのようなデータを間接的に推論または導出することができないので、非サービス提供用周波数に関連する明示的な補助データを都合よく受信する。
【００９３】
当業者は、本明細書に述べる無線デバイス３６が、測位基準信号４６で位置測定を行うことができる任意の無線ノードであってもよいことを、さらに理解するであろう。この点に関して、無線デバイス３６は、移動端末（たとえば、スマートフォン、携帯情報端末、ラップトップなど）、センサ、モバイルリレー、またはたとえば設定時などに配置されている小基地局もしくは固定リレーでさえあってもよい。ＬＴＥ実施形態においては、例として、無線デバイス３６は、任意のＬＣＳターゲットを備える。
【００９４】
しかし、無線デバイス３６は、非サービス提供用周波数で位置測定を行うために、必ずしも測定ギャップを要求する必要はない。もっとはっきり言えば、無線デバイス３６の標準動作は、無線デバイス３６が測定ギャップなしに測定を行うことが技術的に可能な場合でさえ、その位置測定のために測定ギャップが設定されるように規定していることがある。そのような１つの無線デバイス３６は、例として、キャリアアグリゲーションができるデバイスであってもよい。
【００９５】
さらに、記述する種々の「回路」は、アナログ回路とデジタル回路の組み合わせ、および／またはメモリ５８、７０、８０に格納されたソフトウェアを用いて構成される１つ以上のプロセッサ、および／またはメモリ５８、７０、８０に格納され、１つ以上のプロセッサで実行されるとき上述のように実行するファームウェアを指してもよいことを、当業者は理解するであろう。これらのプロセッサの１つ以上および他のデジタルハードウェアは、単一の特定用途向け集積回路（ＡＳＩＣ）に含まれていてもよく、また幾つかのプロセッサおよび種々のデジタルハードウェアは、個々にパッケージ化されているか、ＳｏＣ（ｓｙｓｔｅｍ−ｏｎ−ａ−ｃｈｉｐ）に組み立てられているかにかかわらず、幾つかの個々のコンポーネントに分散されていてもよい。
【００９６】
さらにまた、上記の実施形態は、いずれかの特定のタイプの無線通信システム（すなわち、ＲＡＴ）の状況で述べられてはいない。この関連で、本発明を実践するために、特定の通信インタフェース標準は必要ではない。すなわち、無線通信システム３０は、無線デバイス３６が非サービス提供用周波数で位置測定をその間に行うことができる測定ギャップを設定する、多数の標準化されたシステム実施の任意の１つであってもよい。
【００９７】
とはいえ、１つの特定の例として、無線通信システム３０は、ＬＴＥまたはＬＴＥベースの標準を実施してもよい。この場合、無線デバイス３６は、ユーザ装置（ＵＥ）を備えていてもよく、基地局４０はｅＮｏｄｅＢを備えていてもよい。同様に、ネットワークノード４４は、測位プラットフォームを実装する測位ノードを備えていてもよい。プラットフォームがユーザプレーンに実装される場合、ネットワークノード４４はＳＬＰノードであり、プラットフォームが制御プレーンに実装される場合、ネットワークノード４４はｅ−ＳＭＬＣノードである。さらに、Ｅ−ＳＭＬＣノードとＬＣＳクライアントとの間の測位結果のシグナリングは、複数のノード（たとえば、ＭＭＥおよびＧＭＬＣ）を介して転送されてもよい。また、ＬＴＥのＦＤＤとＬＴＥのＴＤＤとは、異なるＲＡＴと見なされ、２つのＬＴＥネットワークも、ＬＴＥの２つの異なるＲＡＴと見なされることにも留意されたい。最後に、上記のように、測位基準信号４６は、ＬＴＥの測位基準信号（ＰＲＳ）を備える。
【００９８】
現在のＬＴＥ標準によるｅＮｏｄｅＢは、周波数間測定ギャップリクエストを受信するが、その周波数間測定が行われるキャリア周波数を知らない。それにもかかわらず、現在のＯＴＤＯＡのＲＳＴＤ周波数間要件は、「サービングキャリア周波数と同じ周波数のセルにおいては、測定ギャップは、ＰＲＳサブフレームと重なり合わない」と規定している（非特許文献２：３ＧＰＰ  ＴＳ３６．１３３ｖ１０．１．０およびｖ９．６．０セクション９．１．１０．２）。これには問題がある。現在標準化されている測定ギャップ周期は、４０ｍｓの倍数（４０ｍｓおよび８０ｍｓ、しかし非特許文献２に規定されているように、４０ｍｓだけが周波数間ＲＳＴＤ用に設定されてもよい）であるからである。さらに、ＰＲＳ測位機会の周期もまた４０ｍｓの倍数である。この意味は、現在のＯＴＤＯＡのＲＳＴＤ周波数間要件に準拠して、測定ギャップがサービングセルのＰＲＳと重なり合うのを避けるためには、非サービングセルでのＰＲＳ測位機会を、サービングセルに対してずらされなければならないということである。これは、言い換えると、ＰＲＳ測位機会が、システムのどの２つの周波数でも重なり合いそうにないことを意味する。
【００９９】
２周波数のシステムにおいては、測定ギャップを設定するサービングｅＮｏｄｅＢは、ＵＥのサービス提供用周波数を知っており、従って、他の周波数も知っている。他の周波数で、全てのセルのＰＲＳ測位機会が重なり合っている場合、ｅＮｏｄｅＢは、その周波数用の測定ギャップを時間内のいつ設定する必要があるかを推測しうる。しかし、同じ周波数の幾つかのセルにおいてＰＲＳ機会が揃っていないか、または２つを超える周波数が周波数間測定に使用される（たとえば、各周波数でＰＲＳを使用する少なくとも１つのセルがある）ときには、問題が生じる。
【０１００】
この問題に取り組むために、ＵＥが測定する非サービス提供用周波数で、ｅＮｏｄｅＢが、設定する測定ギャップをＰＲＳ測位機会と重ね合わせることができるように、より多くの情報（エンハンスド測定ギャップ関連情報またはＥＭＧＲＩと呼ばれる）がｅＮｏｄｅＢに提供されてもよいし、またｅＮｏｄｅＢが取得してもよい。ＥＭＧＲＩは、周波数間位置測定が行われる１つ以上の非サービス提供用周波数を示す。また、ＥＭＧＲＩは、要求された測定ギャップで位置測定が行われるＲＡＴ、周波数間位置測定が行われる少なくとも１つのセルＩＤ、１つ以上の好ましい測定ギャップ設定、および／または測位補助データからの基準セル識別情報も含んでもよい。ＥＭＧＲＩは、周波数間セルの測位機会と基準セルもしくはサービングセルとの１つ以上（周波数間セル当たり１つ）のオフセット、１つ以上のシステムフレーム番号（ＳＦＮ）オフセット、測位基準信号（ＰＲＳ）サブフレームオフセット、および／または１つ以上のＰＲＳ構成を含む、追加情報さえ含んでもよい。
【０１０１】
少なくとも１つのセルＩＤを含むＥＭＧＲＩに関して、ＥＭＧＲＩは、１つのセルＩＤだけを含んでもよい。これは、全てのセルが、同じ非サービス提供用周波数である場合、および／またはＰＲＳ測位機会がセル間で揃っている、同じＰＲＳ構成を有する場合であってもよい。この周波数の任意のセルの任意のセルＩＤが、たとえばランダムに選択されてもよい。あるいは、これは、位置測定を行うために複数の可能な周波数間の１つだけを選択し、それに対応して、選択した周波数から１つのセルを選択する場合であってもよい。この点に関して、ＵＥは、その周波数で送信しているセルの数が最大である周波数間を選択してもよい。他の実施形態においては、ＥＭＧＲＩは、１つを超えるセルＩＤを含んでもよい。これは、１つの周波数に対して１つを超えるセルが選択される場合か、または複数の周波数が選択される場合であってもよい。
【０１０２】
１つ以上の好ましい測定ギャップ設定を含むＥＭＧＲＩに関しては、好ましい測定ギャップオフセットとして示されてもよい。それでも、ｅＮｏｄｅＢは、どの測定ギャップ設定を実際に使用するかにつての最終決定権を有する。しかしこれに関しては、設定された測定ギャップ内で測定することができるセル数を最大にするであろう設定を推奨するように、選択されてもよい。それは、ＰＲＳがセル間で、およびセル周波数上で、どのように並べられているかに依存するであろう。
【０１０３】
ＥＭＧＲＩに含まれる追加情報に関して、その情報は、ＥＭＧＲＩの一部であってもよいし、またＥＭＧＲＩとは別に伝達されてもよい。たとえば、追加情報は、測位ノードからＬＰＰａによってｅＮｏｄｅＢに伝達されてもよいし、またｅＮｏｄｅＢ間でたとえばＸ２またはＯ＆Ｍなどによって交換されてもよい。
【０１０４】
とにかく、この追加情報の１つ以上のオフセットに関して、オフセットは、測定ギャップを必要とする周波数間セルの測位機会と、基準セルもしくはサービングセルとの、サブフレームオフセットであってもよい。別の実施形態においては、サブフレームオフセットは、ｐｒｓ−ＳｕｂｆｒａｍｅＯｆｆｓｅｔ（ｐｒｓサブフレームオフセット）であるか、または非特許文献３（３ＧＰＰ  ＴＳ３６．３５５）におけるｐｒｓ−ＳｕｂｆｒａｍｅＯｆｆｓｅｔ（ｐｒｓサブフレームオフセット）の定義に従って導出される。ｐｒｓ−ＳｕｂｆｒａｍｅＯｆｆｓｅｔ（ｐｒｓサブフレームオフセット）については、図１４に示す。
【０１０５】
１つ以上のＳＦＮオフセットに関しては、周波数間セル当たり１つのＳＦＮオフセットがあってもよい。ここで、ＳＦＮオフセットは、周波数間セルのＳＦＮ０と基準／サービングセルのＳＦＮ０とのオフセットである。
【０１０６】
１つ以上のＰＲＳ構成に関しては、周波数間セル当たり１つの構成があってもよい。これらの構成は、非特許文献１（３ＧＰＰ  ＴＳ３６．２１１）に定義されている構成を含む。さらに、ＰＲＳ構成はまた、パターンに従ってミュートされてもよい。隣接セルが位置測定用の信号をその間に送信する取得した期間も、そのミューティング構成の原因となってもよいように、ミュートパターン情報は、構成されたＰＲＳ信号が、ある時間的機会に実際に送信されるか否かの追加情報を提供してもよい。あるいは、ミューティング構成は、指示メッセージで受信されなくてもよく、他の手段（たとえば、Ｏ＆Ｍまたは別の無線ノードとのＸ２）によって取得されてもよいが、位置測定用に要求された測定ギャップを設定したとき、やはり明らかにされてもよい。
【０１０７】
ＥＭＧＲＩは、多くのやり方でｅＮｏｄｅＢによって取得されてもよい。一例では、ｅＮｏｄｅＢは、ＥＭＧＲＩを取得するデータベースを保持している。データベースは、内部メモリ内または外部メモリ内にあってもよく、たとえばｅＮｏｄｅＢと関係している現在のセルからサービスを受けているＵＥに関して、どのセルが位置測定のための周波数間セルでありそうかなど、エリア内のセルに関する隣接関係情報を備えてもよい。一実施形態においては、同じデータベースが、測位ノードによって使用されてもよい。また別の実施形態においては、データベースは、ｅＮｏｄｅＢが、測位ノードまたは他のネットワークノード（たとえば、ＳＯＮまたはＯ＆Ｍ）から取得する。
【０１０８】
別の例においては、ｅＮｏｄｅＢは、ＲＲＣシグナリングによってＥＭＧＲＩを取得する。一実施形態によれば、ＥＭＧＲＩは、非特許文献４（３ＧＰＰ  ＴＳ３６．３３１）によって定義されたＲＲＣメッセージの中で伝達されてもよい。ＥＭＧＲＩは、測定ギャップ指示とともに伝達されてもよい。ＲＲＣメッセージの一例は、ＵＬ−ＤＣＣＨメッセージである。ＵＬ−ＤＣＣＨメッセージのクラスは、アップリンクＤＣＣＨ論理チャネルでＵＥからＥ−ＵＴＲＡＮに送信されてもよいＲＲＣメッセージのセットである。たとえば、図１５を参照されたい。
【０１０９】
図１５に示すように、ｉｎｔｅｒＦｒｅｑＲＳＴＤＭｅａｓｕｒｅｍｅｎｔＩｎｄｉｃａｔｉｏｎ−ｒ１０（周波数間ＲＳＴＤ測定指示ｒ１０）は、ＥＭＧＲＩ用にＵＬ−ＤＣＣＨメッセージタイプで採用された新しい要素である。それどころか、一実施形態においては、ＥＭＧＲＩは、新しい要素のｉｎｔｅｒＦｒｅｑＲＳＴＤＭｅａｓｕｒｅｍｅｎｔＩｎｄｉｃａｔｉｏｎ−ｒ１０（周波数間ＲＳＴＤ測定指示ｒ１０）内で伝達され、従って、予備のスペア７要素に取って代わっている。
【０１１０】
あるいは、ＥＭＧＲＩは、測定ギャップ指示または始動／停止指示を有する別の要素内で伝達される。たとえば、図１６を参照されたい。
【０１１１】
さらに、たとえばセルＩＤなどのＥＭＧＲＩを受信するとき、ｅＮｏｄｅＢは、（たとえば、測位ノード、または別のネットワークノード、またはセルに関係している無線ノードに）たとえばｅＮｏｄｅＢがＰＲＳ構成を知らない少なくとも１つのセルのＰＲＳ構成などの、ｅＮｏｄｅＢが測定ギャップを正しく設定するのを可能にする、追加情報をさらに要求してもよい。
【０１１２】
また別の例によれば、ｅＮｏｄｅＢは、ＥＭＧＲＩに関して上位レイヤプロトコルパケットを調査するために、クロスレイヤ通信を使用する。この実施形態においては、ＥＭＧＲＩを取得する手段として、ｅＮＢは、ＬＰＰで送信される情報を嗅ぎ出すために、クロスレイヤ通信を使用する。具体的には、ＬＰＰは、ＵＥとＥ−ＳＭＬＣとの通信に用いられる。ＬＰＰは、トランスペアレントにｅＮＢを通り過ぎ、周波数間ＲＳＴＤ測定のキャリア周波数、ＰＲＳ情報などの情報を運ぶ補助データを有する。ＬＰＰの全ての補助データはｅＮＢを通り抜けるので、ｅＮｏｄｅＢは、伝送されるＬＰＰパケットの構造を調査することによって、上位レイヤー情報にアクセスする手段を有する。ＥＭＧＲＩ情報は、いったん捕捉されると、たとえばキャリア周波数、測定ギャップオフセットなどの、周波数間位置測定に関連するパラメータを決定するための入力として使用されてもよい。それによって、ｅＮＢは、効率的に測定ギャップを設定することができる。たとえば、ｅＮＢは、ＵＥがＰＲＳ機会を見逃さないように、測定ギャップを設定することができる。また、ｅＮＢは、測定ギャップに最大数の測位サブフレームを確実に含みうるようにできてもよい。これは、位置測定の測定性能を改善することになる。
【０１１３】
将来は、補助データは、新しいパラメータを用いてエンハンスドされてもよい。これはまた、ＥＭＧＲＩの範囲を広げる、すなわち新しいパラメータを増やすことにもなる。注目に値するのは、上記のクロスレイヤ通信方法は、それでもなお、ＬＰＰを嗅ぎ出すことにより、ｅＮＢがこれらの新しいパラメータも容易かつ確実に取得できることである。
【０１１４】
もちろん、幾つかの例においては、ｅＮｏｄｅＢは、全ての測定ギャップをＰＲＳ信号と揃えられなくてもよい。既知の手法においては、設定された測定ギャップがＰＲＳ測位機会と重ならない場合、周波数間測定は失敗しそうである。ＰＲＳは、特に位置測定用に設計され、一般に他の基準信号より信号品質がよいことを特徴としているけれども、ＬＴＥ標準が、ＰＲＳの使用を命じていないことを、本明細書の実施形態は、都合がよいことと認識している。それ故、実施形態は、位置測定のために、たとえばセル固有基準信号（ＣＲＳ）などの他の基準信号を採用している。
【０１１５】
具体的には、測定の失敗を回避するために、ＵＥがＲＳＴＤ測定のために測定ギャップを要求して、ネットワークが測定ギャップを設定すると、ＵＥは、ＰＲＳとは異なる信号で非サービス提供用周波数／非ＲＡＴの測定を行う。信号は、測定ギャップにおいて利用可能などんな信号でもよい。測定ギャップにおいて信号を利用可能であるか、または信号がＰＲＳより頻繁に送信されるか（たとえば、これらの信号の周期は、最大でも測定ギャップ長の長さである）であるように、ネットワークは確実にできる。
【０１１６】
ＬＴＥにおける非ＰＲＳ信号の例を幾つか挙げると、同期信号、セル固有基準信号（ＣＲＳ）、ＵＥ固有基準信号、または他の任意の基準信号もしくは物理信号である。ＵＥがＵＥ固有基準信号で測定を行う実施形態においては、たとえば１つ以上の要求されたセル（要求されたセルの識別表示は、ＥＭＧＲＩで供給されてもよい）において、そのような指示を受信した時に、これらの信号は構成されてもよい。
【０１１７】
非ＬＴＥのＲＡＴにおける非ＰＲＳ信号の例は、ＵＭＴＳもしくはＣＤＭＡのパイロット信号、および任意の物理信号などである。実際、一実施形態においては、ＵＥのサービングセルと関係する無線基地局は、たとえばＧＳＭ、ＵＭＴＳおよびＬＴＥをサポートするマルチ標準無線（ＭＳＲ）基地局など、複数のＲＡＴをサポートしている。この場合、ＭＳＲ基地局は、周波数間位置測定用の測定ギャップ指示を受信すると、異なるＲＡＴで同じ基地局から送信された信号にも気付いてもよく、そしてたぶん同じＲＡＴ（ＣＤＭＡまたはＧＳＭなどの同期ネットワークの）の他のＢＳから送信された信号にも気付いてもよい。従って、基地局は、測定すべき信号を確実にカバーするように測定ギャップを設定するとき、この情報を使用してもよい。どんな非ＭＲＳ無線ノードもまた、測定ギャップを設定している間に、ある周波数のネットワークが同期、またはフレーム位置合わせ、またはサブフレーム位置合わせであるということを利用してもよいことに留意されたい。
【０１１８】
最後に、本明細書のＬＴＥ実施形態は、非特許文献２（３ＧＰＰ  ＴＳ３６．１３３）が扱っている範囲を超える測定に関して、測定ギャップを設定および使用することに留意されたい。より具体的には、場合によっては、マルチ周波数状態が生ずる。現在の標準は、セクション１．１．４．４に述べているように、ＯＴＤＯＡ補助データで受信される周波数に対応するセルだけを対象とする、２つの周波数間状態を記述している。しかし、ＬＰＰｅまたはユーザプレーン測位プロトコル（ＳＵＰＬ）を用いて、補助データは、同じＲＡＴまたは異なるＲＡＴ（たとえば、ＧＳＭ、ＷＣＤＭＡ、またはＣＤＭＡ）で、サービングセルと同じ周波数または異なる周波数であってもよい、より多くのセルを含むようにさらに拡大されてもよい。
【０１１９】
現在のＬＴＥ仕様によると、そのようなセルが関わる測定に関する要件はなく、そのようなセルに関して測定ギャップをｅＮｏｄｅＢに通知する標準的なやり方はない。ＵＥは、標準で採用されている測定ギャップ始動を使用して、測定ギャップを要求できる実行手段を有する。一実施形態においては、ＬＰＰｅまたは任意のユーザプレーンプロトコル（たとえば、ＳＵＰＬ）によって、その補助データが受信されるセルの位置測定を可能にするために、ＵＥは、ＲＲＣによって、ＲＲＣメッセージを使用して測定ギャップを要求する。
【０１２０】
本明細書の好適な実施形態は、以下の方法を実行するように構成されたＵＥを使用して、現在のＬＴＥ仕様の欠陥に対処する。方法は、ステップ１において、ＵＥが、ＬＰＰのｏｔｄｏａ−ＲｅｑｕｅｓｔＡｓｓｉｓｔａｎｃｅＤａｔａ（ＯＴＤＯＡ補助データリクエスト）の中にない補助データ、または非特許文献２（３ＧＰＰ  ＴＳ３６．１３３）の要件の対象でない補助データを受信する工程を有する。ＵＥは、その補助データを、ＬＰＰｅまたは任意のユーザプレーンプロトコル（たとえば、ＳＵＰＬ）によって受信してもよい。さらに、補助データは、ＬＴＥ、またはたとえばＣＤＭＡ、ＧＳＭもしくはＷＣＤＭＡなどの他のＲＡＴにおける、タイミング測定用の補助データを備えていてもよい。
【０１２１】
方法は、ＵＥが、要求された測定を、ＲＲＣによって測定ギャップを要求することができる測定と解釈する工程を続ける。この点に関して、方法は、ＲＲＣによって測定ギャップリクエストを送信する工程を有する。
【０１２２】
これに対して、方法は、ネットワークから測定ギャップ設定を受信する工程、およびそれに沿って測定ギャップを設定する工程を続ける。最後に、方法は、ステップ１で受信した補助データおよび設定された測定ギャップを使用して、測定を実行する工程を伴う。
【０１２３】
別の実施形態においては、ステップ１に加えて、ＵＥは、ＬＰＰのｏｔｄｏａ−ＲｅｑｕｅｓｔＡｓｓｉｓｔａｎｃｅＤａｔａ（ＯＴＤＯＡ補助データリクエスト）の中で補助データも受信する。ＬＰＰのｏｔｄｏａ−ＲｅｑｕｅｓｔＡｓｓｉｓｔａｎｃｅＤａｔａ（ＯＴＤＯＡ補助データリクエスト）の中の補助データの中で要求された測定は、周波数間測定と解釈される。また別の実施形態においては、ＬＰＰのｏｔｄｏａ−ＲｅｑｕｅｓｔＡｓｓｉｓｔａｎｃｅＤａｔａ（ＯＴＤＯＡ補助データリクエスト）の中の補助データは、周波数間測定をまねるように人為的に構成されている。さらに、ｅＮｏｄｅＢは、測定ギャップリクエストを受信すると、初期設定により、上述のステップ１で受信された補助データに関する測定を可能にする測定ギャップを設定する。特定の例においては、測定ギャップ設定は、たとえばＣＤＭＡまたはＧＳＭなどの別のＲＡＴにおける測定に最適化される。次の実施形態においては、ＵＥは、（ステップ１で受信した補助データに関する測定に加えて、）設定された測定ギャップを使用して、ＬＰＰのｏｔｄｏａ−ＲｅｑｕｅｓｔＡｓｓｉｓｔａｎｃｅＤａｔａ（ＯＴＤＯＡ補助データリクエスト）の中で受信した補助データに関しても、測定を実行してもよい。
【０１２４】
上述の変形形態および変更形態に照らして、当業者は、本明細書の基地局４０−ｓが、概して、図７に示す方法１００を実行することを理解する。図７に示すように、方法１００は、無線デバイス３６が１つ以上の位置測定を行う、１つ以上の非サービス提供用周波数ｆ１、ｆ２を示す情報を取得する工程を有する（ブロック１１０）。次いで、方法は、その情報に示される少なくとも１つの非サービス提供用周波数ｆ１、ｆ２に関して、隣接セル４２−１、４２−２がその非サービス提供用周波数ｆ１、ｆ２で測位基準信号４６−１、４６−２を送信する期間中に、（無線デバイス３６が対応する位置測定をその間に行う）測定ギャップが生じるように設定する工程を有する（ブロック１２０）。
【０１２５】
同様に、当業者は、本明細書の移動端末３６が、概して、図８に示す方法２００を行うことを理解する。図８に示すように、方法２００は、無線デバイス３６が１つ以上の位置測定を行う、１つ以上の非サービス提供用周波数ｆ１、ｆ２を示す情報を取得する工程を有する（ブロック２１０）。次いで、方法は、その情報と、無線デバイス３６が１つ以上の位置測定をその間に行う１つ以上の測定ギャップを設定するように、基地局４０−ｓに求めるリクエストとを、基地局４０−ｓに送信する工程を有する（ブロック２２０）。
【０１２６】
さらに、当業者は、本明細書のネットワークノード４４が、概して、図９に示す方法３００を行うことを理解する。図９に示すように、方法３００は、無線デバイス３６が１つ以上の位置測定を行う、１つ以上の非サービス提供用周波数ｆ１、ｆ２を示す情報を取得する工程（ブロック３１０）と、取得した情報を基地局４０−ｓに送信する工程（ブロック３２０）とを有する。
【０１２７】
代替または追加で、ネットワークノード４４は、概して、図１０に示す方法４００を実行してもよい。図１０に示すように、方法４００は、無線デバイス３６が１つ以上の非サービス提供用周波数ｆ１、ｆ２で１つ以上の位置測定をその間に行うことができる、１つ以上の測定ギャップを、基地局４０−ｓが設定することができるか否かを示す情報を取得する工程を有する（ブロック４１０）。次いで、基地局４０−ｓが１つ以上の測定ギャップを設定することができる場合、方法は、無線デバイス３６に、少なくとも１つの隣接セル４２−１、４２−２に関して１つ以上の位置測定を行うように求めるリクエストを、無線デバイス３６に送信する工程を伴う（ブロック４２０）。その逆に基地局４０−ｓが設定できない場合、方法は、そのリクエストを無線デバイス３６に送信するのを控える工程を伴ってもよい。
【０１２８】
従って、当業者は、本発明の必要不可欠な特徴から逸脱することなく、本明細書に具体的に記載するやり方とは異なるように本発明を実行しうることを認識するであろう。従って、本明細書の実施形態は、全ての点において、説明であり、制限するものではないと考えられ、添付の特許請求の範囲の趣旨および同等の範囲内に来る全ての変更を、その中に包含するものである。
【図１】
0005855134.tif 000002
【図２】
0005855134.tif 000003
【図３】
0005855134.tif 000004
【図４】
0005855134.tif 000005
【図５】
0005855134.tif 000006
【図６】
0005855134.tif 000007
【図７】
0005855134.tif 000008
【図８】
0005855134.tif 000009
【図９】
0005855134.tif 000010
【図１０】
0005855134.tif 000011
【図１１】
0005855134.tif 000012
【図１２】
0005855134.tif 000013
【図１３】
0005855134.tif 000014
【図１４】
0005855134.tif 000015
【図１５】
0005855134.tif 000016
【図１６】
0005855134.tif 000017